(57)【要約】【課題】  製造の手間やコストを抑え、使用方法も簡単でありながらネジの保持能力が高いネジ保持機能付スクリュードライバーを提供する。【解決手段】  ネジ６の頭部６１に形成されているリセス７に係合してネジ６を保持しつつ締め付け可能なネジ保持機能付スクリュードライバー１Ａであって、前記ドライバー１Ａの先端部分には、前記リセス７と係合するための複数の係合部４が形成されているとともに、これら各係合部４の先端をそれぞれ縮径させる方向に弾性変形させるための縮径用スリット５が前記各係合部４同士の間に軸方向に沿って形成されており、前記各係合部４同士の外側面４１の間隔Ｌは、係合する前記リセス７の内側面７１の間隔Ｌ０よりも大きく形成されており、かつ、前記各係合部４は、前記リセス７に係合する際に縮径方向に弾性変形して前記リセス７の内側面７１に所定の圧力で圧接しうる圧接面４２を有する。【選択図】  図２
2011183543.tif 000002
【特許請求の範囲】
【請求項１】
ネジの頭部に形成されているリセスに係合してネジを保持しつつ締め付け可能なネジ保持機能付スクリュードライバーであって、
前記ドライバーの先端部分には、前記リセスと係合するための複数の係合部が形成されているとともに、これら各係合部の先端をそれぞれ縮径させる方向に弾性変形させるための縮径用スリットが前記各係合部同士の間に軸方向に沿って形成されており、
前記各係合部同士の外側面の間隔は、係合する前記リセスの内側面の間隔よりも大きく形成されており、かつ、前記各係合部は、前記リセスに係合する際に縮径方向に弾性変形して前記リセスの内側面に所定の圧力で圧接しうる圧接面を有しているネジ保持機能付スクリュードライバー。
【請求項２】
請求項１に記載の発明において、前記各係合部同士の外側面の間隔は、係合する前記リセスの内側面の間隔と同一ないし狭く形成された状態から前記縮径用スリットを拡開加工されて前記係合するリセスの内側面の間隔よりも大きく形成されているネジ保持機能付スクリュードライバー。
【発明の詳細な説明】
【技術分野】
【０００１】
本発明は、頭部にリセスが形成されたネジ等の締結に用いられるネジ保持機能付スクリュードライバーに関するものである。
【背景技術】
【０００２】
従来のスクリュードライバーにおいては、狭くて手の入れづらい場所にネジを締結するために、ネジの落下を防止するネジ保持機能を備えたものが提案されている。例えば、代表的なものとして、スクリュードライバーに磁力を持たせ、その磁力でネジを保持させたものがある。
【０００３】
また、磁力以外の方法によるものとして、特開平８−１８７６７４号公報には、ドライバーの先端部にゴム等の弾性体から構成された締め金具保持部材を嵌め入れて、ネジの頭部にある窪みに嵌入させた際に、その締め金具保持部材の弾性力で窪みを押し付けることによりネジを落下させないようにした発明が記載されている。
【先行技術文献】
【特許文献】
【０００４】
【特許文献１】特開平８−１８７６７４号公報
【発明の概要】
【発明が解決しようとする課題】
【０００５】
しかしながら、磁力を有するドライバーは、磁力によって機能不全等の影響を受ける電子部品や電子基板の締結には使用することができないという問題がある。また、ネジがステンレスやプラスチック等の磁力により保持できない素材のものの場合には効果がないという問題もある。
【０００６】
また、特許文献１に記載された発明においては、ドライバーの先端に弾性体を取り付けるためにキー溝を加工し嵌め入れているが、嵌め入れやすく、かつ、脱落しにくい寸法精度の確保など、それらの作業による手間と製造コストが大きくなって実用上の問題が存在している。また、弾性体からなる締め金具保持部材の寿命の問題もある。つまり、繰り返し使用することによりゴムなどの弾性体が摩耗あるいはへたってしまうため、保持機能が低下してしまうという問題がある。さらには締め金具保持部材がキー溝から脱落する恐れもある。
【０００７】
本発明は、このような問題点を解決するためになされたものであって、製造の手間やコストを抑え、使用方法も簡単でありながらネジの保持能力が高いネジ保持機能付スクリュードライバーを提供することを目的としている。
【課題を解決するための手段】
【０００８】
本発明に係るネジ保持機能付スクリュードライバーは、ネジの頭部に形成されているリセスに係合してネジを保持しつつ締め付け可能なネジ保持機能付スクリュードライバーであって、前記ドライバーの先端部分には、前記リセスと係合するための複数の係合部が形成されているとともに、これら各係合部の先端をそれぞれ縮径させる方向に弾性変形させるための縮径用スリットが前記各係合部同士の間に軸方向に沿って形成されており、前記各係合部同士の外側面の間隔は、係合する前記リセスの内側面の間隔よりも大きく形成されており、かつ、前記各係合部は、前記リセスに係合する際に縮径方向に弾性変形して前記リセスの内側面に所定の圧力で圧接しうる圧接面を有している。
【０００９】
また、本発明の一態様として、前記各係合部同士の外側面の間隔は、係合する前記リセスの内側面の間隔と同一ないし狭く形成された状態から前記縮径用スリットを拡開加工されて前記係合するリセスの内側面の間隔よりも大きく形成されている。
【発明の効果】
【００１０】
本発明によれば、製造の手間やコストを抑え、使用方法も簡単でありながらネジの保持能力が高いネジ保持機能付スクリュードライバーを提供することにより、狭い隙間でのネジ締結作業を容易に行うことができる。
【図面の簡単な説明】
【００１１】
【図１】本発明に係るネジ保持機能付スクリュードライバーの第一実施形態を示す正面図である。
【図２】本第一実施形態のネジ保持機能付スクリュードライバーの先端部分を拡大した図であり、その（ａ）正面図、（ｂ）左側面図および（ｃ）底面図である。
【図３】本第一実施形態におけるリセスを有するネジを示す斜視図である。
【図４】本第一実施形態において、ネジ保持機能付スクリュードライバーがリセスに係合される前における先端部分とリセス部分とを示す断面図である。
【図５】本第一実施形態において、ネジ保持機能付スクリュードライバーがリセスに係合された後における先端部分とリセス部分とを示す断面図である。
【図６】本第二実施形態のネジ保持機能付スクリュードライバーの先端部分を拡大した正面図である。
【図７】ネジ保持機能付スクリュードライバーにおける先端部分の他の一例を示す斜視図である。
【発明を実施するための形態】
【００１２】
以下、本発明に係るネジ保持機能付スクリュードライバーの第一実施形態について図面を用いて説明する。図１は、本第一実施形態のネジ保持機能付スクリュードライバー１Ａの正面図を示している。また、図２（ａ）〜（ｃ）は、ネジ保持機能付スクリュードライバー１Ａの先端部分を拡大した正面図、左側面図および底面図を示している。
【００１３】
本第一実施形態のネジ保持機能付スクリュードライバー１Ａは、図１に示すように、グリップ部２と、軸部３と、係合部４と、縮径用スリット５とから構成されている。以下、各構成について詳細に説明する。
【００１４】
グリップ部２は、使用者が手で握る部分であって、使用者から与えられる回転力を受ける部分である。本第一実施形態では、略円柱状のプラスチックによって形成されており、外表面には使用者が握り易く、かつ締結時に滑りにくくするために、先端側側面に窪みや軸方向に複数の溝が設けられている。なお、グリップ部２の素材および形状は適宜選択されるものである。また、グリップ部２の代わりに電動ドライバーやインパクトレンチ等を使用してもよい。
【００１５】
軸部３は、前記グリップ部２で得た回転力を先端に形成した係合部４に伝達するための棒状部材であって、その軸中心と前記グリップ部２の回転中心とが一致されるように当該グリップ部２の先端側に固定されている。
【００１６】
また、本第一実施形態における軸部３は、ネジ６の頭部６１のリセス７の内側面７１の間隔Ｌ０よりも当該リセス７の設計上の寸法公差程度太い外形Ｄに形成されている。なお、軸部３の長さや太さ等は、締結するネジ６やリセス７の形状等によって適宜選択される。
【００１７】
なお、本第一実施形態におけるリセス７は、図３に示すように、ネジ６の頭部６１に、回転軸の軸対称となる２つの円弧状の溝穴として構成されたものを一例として挙げている。
【００１８】
係合部４は、リセス７と係合するためのものであって、前記軸部３の先端部分に複数に分割されて設けられており、前記リセス７に挿入可能な形状に形成されている。また、各係合部４の外側面４１の間隔Ｌは、図４に示すように、リセス７の内側面７１の間隔Ｌ０よりも大きく形成されている。さらに、各係合部４の外側面４１には、図５に示すように、リセス７に係合する際に当該リセス７の内側面７１と圧接しうる圧接面４２が形成されている。よって、この圧接面４２は、係合部４の外側面４１において、リセス７内に係合された際に当該リセス７の内側面７１から圧力を受ける部分である。
【００１９】
本第一実施形態における各係合部４は、前記軸部３の先端部分において前記リセス７に嵌合可能に円弧状に突出させた形状をなしている。また、これらの各係合部４の外側面４１の間隔Ｌを前記軸部３の外形Ｄと一致させることで、前記リセス７の内側面７１の間隔Ｌ０よりも大きくなるように形成されている。
【００２０】
縮径用スリット５は、前記係合部４の先端をそれぞれ縮径させる方向に弾性変形させるためのものであり、前記係合部４同士の間に所定の幅ｌ１で軸方向に形成されている。本第一実施形態における縮径用スリット５は、前記リセス７の寸法交差よりも大きい幅の金属切断用のカッター等により形成されている。また、軸中心部分には、係合部４を縮径し易くするとともに、当該係合部４の中心軸側の側面を形成するための軸心穴５１が軸方向に形成されている。なお、軸心穴５１は、リセス７の形状や縮径用スリット５の幅ｌ１や深さｌ２を適宜選択することで、係合部４が十分に縮径する場合には設けなくてもよい。
【００２１】
なお、縮径用スリット５の幅ｌ１および深さｌ２は、各係合部４の外側面４１の間隔Ｌ、リセス７の内側面７１の間隔Ｌ０、および軸部３や係合部４の素材等を考慮して適宜選択される。例えば、各係合部４が縮径した際に、係合部４同士が当接しないようにするため、縮径用スリット５の幅ｌ１は、係合部４の外側面４１の間隔Ｌとリセス７の内側面７１の間隔Ｌ０の差よりも大きく形成されていればよい。また、前記軸部３および前記係合部４の素材が硬い場合には、縮径用スリット５の幅ｌ１を広く形成するとともに、縮径用スリット５の深さｌ２軸方向に深く形成すればよい。
【００２２】
次に、本第一実施形態におけるネジ保持機能付スクリュードライバー１Ａの各構成の作用について説明する。
【００２３】
まず、本第一実施形態のネジ保持機能付スクリュードライバー１Ａでは、係合部４をネジ６の頭部６１に押し込むようにしてリセス７に挿入する。このとき、本第一実施形態における各係合部４の外側面４１の間隔Ｌは、係合するリセス７の内側面７１の間隔Ｌ０よりも寸法公差分ほど大きく形成されており、かつ、各係合部４同士の幅ｌ１および深さｌ２を縮径用スリット５によって十分に確保しているため、弾性変形しつつ容易に挿入することができる。
【００２４】
すなわち、各係合部４は、リセス７内に挿入されるに従ってリセス７の内側面７１から軸中心側に向けて圧接力を受ける。このリセス７から圧接力を受けると、係合部４は縮径用スリット５を形成していることもあって、その先端を縮径する方向に弾性変形する。なお、本第一実施形態における縮径用スリット５の幅ｌ１は前記寸法公差よりも大きく形成されているため、係合部４同士はぶつかることなくリセス７内に挿入される。
【００２５】
また、係合部４は、リセス７内に挿入されることでリセス７の内側面７１に対して弾性変形による反力を与え、圧接面４２がリセス７の内側面７１と圧接することによってネジ６の保持力を生じさせる。そして、この状態において使用者がグリップ部２を回転させることで、回転力が軸部３を介して係合部４に伝わり、この係合部４がリセス７に係合しているためネジ６を保持しつつネジ６を締め付けることができる。
【００２６】
以上のような本第一実施形態のネジ保持機能付スクリュードライバー１Ａによれば、以下の効果を得ることができる。
１．係合部４の圧接面４２とリセス７の内側面７１とが圧接することでネジ６を確実に保持することができる。
２．係合部４同士の外側面４１の間隔Ｌを、リセス７の内側面７１の間隔Ｌ０より若干大きく形成すればよく、簡単に製造することができ、製造コストを抑えることができる。
【００２７】
次に、本発明に係るネジ保持機能付スクリュードライバーの第二実施形態について図面を用いて説明する。図６は、本第二実施形態のネジ保持機能付スクリュードライバー１Ｂの先端部分を拡大した正面図である。なお、本第二実施形態の構成のうち、上述した第一実施形態の構成と同等または相当する構成については同一の符号を付し、再度の説明を省略する。
【００２８】
本第二実施形態のネジ保持機能付スクリュードライバー１Ｂは、前記各係合部４の外側面４１の間隔Ｌを、前記リセス７の内側面７１の間隔Ｌ０と同一ないし狭く形成しておき、この状態から前記縮径用スリット５を拡開させる加工を施すことにより、前記リセス７の内側面７１の間隔Ｌ０よりも大きくなるように形成している。
【００２９】
よって、第二実施形態における軸部３の外径Ｄは、前記リセス７の内側面７１の間隔Ｌ０と同一ないし小さく形成されている。
【００３０】
また、本第二実施形態における係合部４は、図６に示すように、基端部分の外径を前記軸部３の外径Ｄと一致させているとともに、前記縮径用スリット５の先端部分を拡開させることにより前記リセス７の内側面７１の間隔Ｌ０よりも寸法公差ほど外側に大きく形成されている。なお、縮径用スリット５を拡開させる加工は、様々な方法を選択することができるが、例えば本第二実施形態では前記縮径用スリット５にくさびを打ち込んで先端部分を拡開させている。
【００３１】
以上のように、本第二実施形態のネジ保持機能付スクリュードライバー１Ｂの保持機能は、最終的な縮径用スリット５の幅ｌ１の拡開程度を適宜調整することでその保持力を容易に調整することができる。
【００３２】
なお、本発明に係るネジ保持機能付スクリュードライバーは、前述した実施形態に限定されるものではなく、適宜変更することができる。
【００３３】
例えば、本発明に係るネジ保持機能付スクリュードライバーは、係合部４、圧接面４１および縮径用スリット５を有する先端部分だけを交換可能なドライバービットのような構成であってもよい。
【００３４】
また、係合部４の形状はリセス７に対応させるものであれば、特に限定されるものではなく例えば、六角形の内側面７１を有するリセス７（図示しない）に対して、図７に示すように、六角形状の係合部４を二つに分割する形状に形成してもよい。
【００３５】
さらに、係合部４同士の外側面４１の間隔Ｌがリセス７との摩耗や摩滅により小さくなった場合や係合部４の外側面４１の間隔Ｌが大きすぎてリセス７に係合させにくい場合には、前記縮径用スリット５を拡開することで微調整することが可能である。
【符号の説明】
【００３６】
１Ａ，１Ｂ  ネジ保持機能付スクリュードライバー
２  グリップ部
３  軸部
４  係合部
５  縮径用スリット
６  ネジ
７  リセス
４１  係合部の外側面
４２  圧接面
５１  軸心穴
６１  ネジの頭部
７１  リセスの内側面
Ｌ０  リセスの内側面の間隔
Ｌ  係合部の外側面の間隔
ｌ１  縮径用スリットの幅
ｌ２  縮径用スリットの深さ
Ｄ  軸部の外形
【図１】
2011183543.tif 000003
【図２】
2011183543.tif 000004
【図３】
2011183543.tif 000005
【図４】
2011183543.tif 000006
【図５】
2011183543.tif 000007
【図６】
2011183543.tif 000008
【図７】
2011183543.tif 000009